(57)【要約】【課題】  撮像装置から記録媒体へ記録データを書き込み中に、撮影者が不用意にバッテリーパックまたは外部からの電源ケーブルを取り外すことを防止する。【解決手段】  記録媒体へ記録データを書き込み中に、発光窓９ｂまたは発光部材２１を発光させて撮影者に記録中であることを知らせることができるので、撮影者による不用意なバッテリーパック４あるいは外部からの電源ケーブルを取り外しを避けることができ、記録途中の記録データの消滅や記録媒体に格納されている記録データの破損を防止できる。【選択図】図１
2005175954.tif 000002
【特許請求の範囲】
【請求項１】
記録データを記録媒体に格納できる撮像装置であって、
本体部と電気的に接続され、前記本体部に電力を供給するバッテリーパックを固定する着脱部材と、
前記着脱部材上にあるいはその隣接する位置に配置された発光手段と、
を有し、
前記バッテリーパックから供給される電力を用いて前記記録媒体へ前記記録データの格納中に、前記発光手段が発光することを特徴とする撮像装置。
【請求項２】
前記記録媒体は着脱可能な記録媒体であり、
前記記録媒体を装着し、前記本体部と電気的に接続され、前記本体部と前記装着された記録媒体との間でデータの送受信を行いことができる装着手段と、
前記装着手段あるいはその隣接する位置に配置された第２発光手段と
を更に有することを特徴とする請求項１に記載の撮像装置。
【請求項３】
前記第２発光手段は、前記記録媒体へ前記記憶データの格納中に発光することを特徴とする請求項２に記載の撮像装置。
【請求項４】
前記本体部と電気的に接続され、外部電源から前記本体部に電力を供給する電源端子を更に有することを特徴とする請求項１に記載の撮像装置。
【請求項５】
前記発光手段および前記第２発光手段は、ＬＥＤであることを特徴とする請求項３に記載の撮像装置。
【請求項６】
記録データを記録媒体に格納できる撮像装置であって、
本体部と電気的に接続され、外部電源から前記本体部に電力を供給する電源端子と、
前記電源端子の隣接する位置に配置された発光手段と、
を有し、
前記外部電源から供給される電力を用いて前記記録媒体へ前記記録データの格納中に、前記発光手段が発光することを特徴とする撮像装置。
【請求項７】
前記記録媒体は着脱可能な記録媒体であり、
前記記録媒体を装着し、前記本体部と電気的に接続され、前記本体部と前記装着された記録媒体との間でデータの送受信を行いことができる装着手段と、
前記装着手段あるいはその隣接する位置に配置された第２発光手段と
を更に有することを特徴とする請求項６に記載の撮像装置。
【請求項８】
前記第２発光手段は、前記記録媒体へ前記記憶データの格納中に発光することを特徴とする請求項７に記載の撮像装置。
【請求項９】
前記本体部と電気的に接続され、前記本体部に電力を供給するバッテリーパックを固定する着脱部材を更に有することを特徴とする請求項６に記載の撮像装置。
【請求項１０】
前記発光手段および前記第２発光手段は、ＬＥＤであることを特徴とする請求項８に記載の撮像装置。
【発明の詳細な説明】
【技術分野】
【０００１】
本発明は撮像装置に関し、特に着脱可能なバッテリーパックまたは外部電源に接続するための電源端子を備えた撮像装置に関するものである。
【背景技術】
【０００２】
従来のビデオカメラは記録媒体にビデオテープが用いられたため撮影画像や音声は記録媒体すなわちビデオテープに直接的に記録されていた。しかし近年は、着脱可能なカード型記録媒体や光ディスクに映像や音声を記録できるビデオカメラが商品化されている。
【０００３】
このようなカード型記録媒体や光ディスク記録媒体に映像や音声を記録する場合には、省電力や記録データの信頼性を向上させるために、通常、記録データは一度バッファメモリーに蓄積させて、次に、ある量の記録データがまとまると記録媒体に記録を行う間欠記録によって記録を行っているため、撮影を終了しても記録媒体への書き込みが終了せずに継続していことになる。
【０００４】
このため、例えば、撮影者が撮影の終了と同時に、誤って、記録媒体への書き込みが終了する前に着脱可能なカード型記録媒体や光ディスク記録媒体を、あるいはバッテリーパックやＤＣケーブル等の外部からの電源ケーブルを、ビデオカメラ本体から取り外してしまう場合がある。
【０００５】
このような場合には、記録媒体への書き込みが突然遮断されてしまうため、記録媒体へ書き込めなかった画像データが消滅してしまうばかりでなく、記録媒体全体のデータを破損してしまう場合も考えられる。
【０００６】
このような問題を解決するため、例えば、記録媒体へのアクセス中は着脱可能なカード型記録媒体や光ディスク記録媒体を記録装置から取り出すための操作部材の作用を規制し、記録媒体へのアクセス中は記録媒体を不用意に取り出せなくなるようにしたビデオカメラが知られている。
【０００７】
また、記録媒体へのアクセス中は着脱可能なカード型の記録媒体や光ディスクタイプの記録媒体を記録装置から取り出すための操作部材あるいは、その近傍に発光部を設け、記録媒体へのアクセス中はその発光部を発光させることにより記録媒体へアクセス中であることを撮影者に警告し、記録媒体へのアクセス中は不用意に着脱可能なカード型記録媒体や光ディスク記録媒体を取り出してしまうことを防止することが知られている（特許文献１には、カード型記録媒体を使用するデジタルカメラの場合を例に、この技術が開示されている）。
【特許文献１】特開２００１−０５４０５２号公報
【発明の開示】
【発明が解決しようとする課題】
【０００８】
しかしながら、上記説明した従来例の場合には、記録媒体へのアクセス中に記録媒体を不用意に取り出せないようにした対策、あるいは、取り出そうとした時に警告する対策がとられているが、バッテリーパックやＤＣケーブル等の外部からの電源ケーブルについては、従来何も考慮されていなかった。
【０００９】
そのため、撮影者が記録媒体へのアクセス中に不用意にビデオカメラ本体からバッテリーパックやＤＣケーブル等の外部からの電源ケーブルを取り外してしまうと、ビデオカメラ本体への電源供給が遮断されるため記録媒体への書き込みが遮断されて、記録媒体へ書き込めなかった記録データが消滅してしまうばかりでなく、記録媒体全体のデータを破損してしまう危険性も考えられる。
【００１０】
本発明は上記説明した従来技術の問題点を解決するためになされたものであり、その目的は、例えば、記録媒体へ記憶データの格納中に、撮影者が不用意にバッテリーパックを取り外すことによる記録途中の記録データの消滅や記録媒体に格納されている記録データ全体の破損などを防止できる操作性に優れた撮像装置を提供することである。
【００１１】
また本発明の別の目的は、例えば、記録媒体へ記憶データの格納中に、撮影者が不用意に外部電源と接続するための電源ケーブルを取り外すことによる記録途中の記録データの消滅や記録媒体に格納されている記録データ全体の破損などを防止できる操作性に優れた撮像装置を提供することである。
【課題を解決するための手段】
【００１２】
上記目的を達成するための本発明に係る一実施形態の撮像装置は、以下の構成を有する。すなわち、記録データを記録媒体に格納できる撮像装置であって、本体部と電気的に接続され、前記本体部に電力を供給するバッテリーパックを固定する着脱部材と、前記着脱部材上にあるいはその隣接する位置に配置された発光手段と、を有し、前記バッテリーパックから供給される電力を用いて前記記録媒体へ前記記録データの格納中に、前記発光手段が発光することを特徴とする。
【００１３】
ここで、例えば、前記記録媒体は着脱可能な記録媒体であり、前記記録媒体を装着し、前記本体部と電気的に接続され、前記本体部と前記装着された記録媒体との間でデータの送受信を行いことができる装着手段と、前記装着手段あるいはその隣接する位置に配置された第２発光手段とを更に有することが好ましい。
【００１４】
ここで、例えば、前記第２発光手段は、前記記録媒体へ前記記憶データの格納中に発光することが好ましい。
【００１５】
ここで、例えば、前記本体部と電気的に接続され、外部電源から前記本体部に電力を供給する電源端子を更に有することが好ましい。
【００１６】
ここで、例えば、前記発光手段および前記第２発光手段は、ＬＥＤであることが好ましい。
【００１７】
上記目的を達成するための本発明に係る一実施形態の撮像装置は、以下の構成を有する。すなわち、記録データを記録媒体に格納できる撮像装置であって、本体部と電気的に接続され、外部電源から前記本体部に電力を供給する電源端子と、前記電源端子の隣接する位置に配置された発光手段と、を有し、前記外部電源から供給される電力を用いて前記記録媒体へ前記記録データの格納中に、前記発光手段が発光することを特徴とする。
【００１８】
ここで、例えば、前記記録媒体は着脱可能な記録媒体であり、前記記録媒体を装着し、前記本体部と電気的に接続され、前記本体部と前記装着された記録媒体との間でデータの送受信を行いことができる装着手段と、前記装着手段あるいはその隣接する位置に配置された第２発光手段とを更に有することが好ましい。
【００１９】
ここで、例えば、前記第２発光手段は、前記記録媒体へ前記記憶データの格納中に発光することが好ましい。
【００２０】
ここで、例えば、前記本体部と電気的に接続され、前記本体部に電力を供給するバッテリーパックを固定する着脱部材を更に有することが好ましい。
【００２１】
ここで、例えば、前記発光手段および前記第２発光手段は、ＬＥＤであることが好ましい。
【発明の効果】
【００２２】
本発明の撮像装置によれば、記録媒体への記憶データの格納中には、発光手段を発光させて、撮影者に記録中であることを知らせることができるため、撮影者が不用意にバッテリーパックを取り外すことによる記録途中の記録データの消滅や記録媒体に格納されている記録データ全体の破損などを防止できる。
【００２３】
また、さらに、本発明の撮像装置によれば、記録媒体への記憶データの格納中には、発光手段を発光させて、撮影者に記録中であることを知らせることができるため、撮影者が不用意に外部電源と接続するための電源ケーブルを取り外すことによる記録途中の記録データの消滅や記録媒体に格納されている記録データ全体の破損などを防止できる。
【発明を実施するための最良の形態】
【００２４】
以下添付図面を参照して本発明の好適な実施形態について詳細に説明する。
【００２５】
［本実施形態の概要］
まず、本実施形態の概要について説明する。本撮像装置は、本体部と電気的に接続され、本体部に電力を供給するバッテリーパックを固定する着脱部材と、着脱部材上にあるいはその隣接する位置に配置された発光手段とを有し、バッテリーパック供給される電力を用いて記録媒体へ記録処理中に発光手段を発光させて、あるいは、本体部と電気的に接続され、外部電源から本体部に電力を供給する電源端子と、電源端子の隣接する位置に配置された発光手段とを有し、外部電源から供給される電力を用いて記録媒体へ記録処理中に発光手段を発光させて、撮影者に記録中であることを知らせることができる。そのため、本撮像装置を用いる撮影者は、不用意に外部電源と接続するための電源ケーブルを取り外すことを避けることができるので、記録途中における記録データの消滅や記録媒体に格納されている記録データ全体の破損などを防止することができる。
【００２６】
以下、本実施形態の撮像装置について詳細に説明する。なお以下の説明では、本実施形態の撮像装置の一例として記録媒体として光ディスク記録媒体が着脱可能な記録装置を備えた図１に示すビデオカメラを用いて説明する。しかし、記録媒体は光ディスク記録媒体に限ることはなく、例えば、着脱可能なカード型記録媒体を用いる構成としても良い。
【００２７】
［ビデオカメラ：図１］
図１は、電力供給源として、着脱可能なバッテリーパックまたは外部電源と接続するための電源ケーブルを備え、記録データを格納するための光ディスク記録媒体が着脱可能な記録装置を備えたビデオカメラの後方斜視図である。
【００２８】
図中、１は撮像レンズ、２はビデオカメラ本体で、撮像レンズ１の後方に撮影映像をモニターするためのファインダー３がレイアウトされている。４は本体に電源を供給するための着脱可能なバッテリーパックである。
【００２９】
５は記録媒体が装着される記録装置を覆う回動カバーであり、一側辺部が本体に対して垂直方向に回転可能に連結されている。また、回動カバー５の後方にはズームスイッチ７とモードダイヤル６が設けられており、撮影者はモードダイヤル７を切り替えることにより、ビデオカメラ本体２の電源のＯＮ、ＯＦＦ及び撮影モード、再生モードを切り替えることができる。
【００３０】
ユーザーが記録媒体を交換する場合は、記録媒体取り出しつまみ８をスライド操作し、不図示のロック機構を解除し、回動カバー５を開放させる。すると、記録装置の内部の所定場所に設置されている記録媒体（不図示）は出し入れ可能な状態となる。また、記録媒体取り出しつまみ８には、図に示すように透明の発光窓８ａが形成されており、記録媒体へのアクセス中（記録媒体への記録データの書き込みや記録媒体から記録データの消去など）はその発光窓が発光することにより記録媒体へアクセス中であることを撮影者に警告することができる。なお、図の記録媒体取り出しつまみ８は一例であり、記録媒体取り出しつまみの近傍（記録媒体取り出しつまみの隣接する位置）に発光窓を配置する構造としても良い。
【００３１】
また、バッテリーパック４の残量が少なくなった場合などバッテリーパック４を交換する場合には、図のバッテリー取り出しつまみ９を撮影者が押圧操作すると、バッテリー取り出しつまみ９に形成された凸部９ａが凹み、バッテリーパック４は矢印Ａ方向にスライド可能となり、取り外すことができる。なお、バッテリーパックの取り付けおよび取り外しについて、図２Ａ〜２Ｃを用いて詳細に説明する。
【００３２】
バッテリー取り出しつまみ９には透明の発光窓９ｂが形成されており、記録媒体へのアクセス中は、その発光窓９ｂが発光することにより記録媒体へアクセス中であることを撮影者に警告することができる。
【００３３】
また２０はＤＣジャックであり、バッテリーパック４の替わりに不図示のＤＣケーブルをＤＣジャック２０に接続しビデオカメラ本体２を外部電源と接続させて、ビデオカメラ本体に外部電源から電力を供給することができる。ＤＣジャック２０の近傍（ＤＣジャックの隣接する位置）には発光部材２１が設けられており、ＤＣケーブルによってビデオカメラ本体に電源供給している場合、記録媒体へのアクセス中は発光部材２１が発光することにより記録媒体へアクセス中であることを撮影者に警告することができる。なお、図のＤＣジャック２０は一例であり、ＤＣジャックと発光部材を一体とした構造としても良い。
【００３４】
さらにバッテリーパック４と略同形状のＤＣカプラーを用いてビデオカメラ本体に電源を供給する構成としてもよいが、この場合にもバッテリーパック４の場合と同様に記録媒体へのアクセス中は発光窓９ｂが発光することにより記録媒体へアクセス中であることを撮影者に警告することができる。
【００３５】
［ビデオカメラの構成：図２Ａ〜２Ｃ］
図２Ａ〜２Ｃは、ビデオカメラの断面図であり、以下図２Ａ〜２Ｃを用いて本デオカメラの具体的な構成の一例およびバッテリーパックの取り付け等についてを説明する。
【００３６】
図２Ａにおいて、記録媒体取り出しつまみ８には突起リブ８ｂが形成され、本体カバー１０に設けられた突起リブ１０ａとの間にコイルバネ１１が組み込まれている。そのため記録媒体取り出しつまみ８はコイルバネ１１のバネ勢力を受けることになる。そしてコイルバネ１１のバネ勢力に逆らいながら記録媒体取り出しつまみ８をスライドさせると、不図示のロック機構に連動してロックを解除し、回動カバー５を開放させることができる。またバッテリー取り出しつまみ９はガイド棒９ｃが形成され、コイルバネ１３を貫通し、更に保持部材１２の穴１２ａを貫通している。この時穴１２ａはコイルバネ１３の巻径より十分に小さくなっている。そして保持部材１２は不図示のビスによって本体カバー１０に保持されている。よってバッテリー取り出しつまみ９はコイルバネ１３のバネ勢力を受けることになる。
【００３７】
また、バッテリーパック４は側面にレール４ａが形成されており、本体カバー１０に設けられたＬ字状のリブ１０ｃに係合している。この時、バッテリーパック１０の不図示の接点は本体に設けられたバッテリー端子と導通しビデオカメラ本体に電源を供給することができる。更にバッテリー取り出しつまみ９に形成された凸部９ａは本体カバー１０に設けられた角穴１０ｂから突出てバッテリーパック４の端に係合している。よってバッテリーパック４はビデオカメラ本体から外れることなく装着されることができる。
【００３８】
すなわち、バッテリーパック４を取り付ける場合は、図２Ａの矢印Ａ方向にバッテリーパック４をスライドさせ、バッテリーパック４が図２Ａに示す凸部９ａと接触すると、図２Ｂに示すようにバッテリー取り出しつまみ９を撮影者が押圧して凸部９ａを図の右方向に移動させ（へこまし）てから、図２Ｃの矢印Ａ方向にさらにバッテリーパック４をスライドした後に、図２Ｃに示すように撮影者がバッテリー取り出しつまみ９の押圧を解除することにより凸部９ａを図の左方向に移動させることによりバッテリー取り出しつまみ９に形成された凸部９ａによってバッテリーパック４をビデオカメラ本体から外れることなく固定することができる。
【００３９】
一方、バッテリーパック４を取り外す場合は、上記説明した処理と逆の処理を行えば良く、図２Ｃにおいて、バッテリー取り出しつまみ９をコイルバネ１３のバネ勢力に逆らいながら押圧操作するとバッテリー取り出しつまみ９に形成された凸部９ａとバッテリーパック４との係合関係が解除される。続いてバッテリーパック４を矢印Ａの逆方向にスライドさせるとバッテリーパック４の側面のレール４ａと本体カバー１０に設けられたＬ字状のリブ１０ｃの係合関係が解除されて、バッテリーパック４はビデオカメラ本体から取り外すことができる。
【００４０】
また、１４は光ガイドで略コの字形状に形成され、更にテーパー面１４ａが設けられている。そしてテーパー面１４ａの近傍にプリント基板１５に実装されたＬＥＤ１６がレイアウトされている。プリント基板１５は不図示のケーブルによって本体部の電気信号処理回路に接続されている。よって記録媒体へのアクセス中はＬＥＤ１６が発光し、その光は光ガイド１４に設けられたテーパー面１４ａで屈折し、記録媒体取り出しつまみ８に設けられた透明の発光窓８ａ及び、バッテリー取り出しつまみ９に設けられた透明の発光窓９ｂが発光する。
【００４１】
［ＤＣジャック部の構成：図３］
図３は、ビデオカメラの部分断面図であり、以下図３を用いてＤＣジャック部の具体的構成の一例を説明する。
【００４２】
ＤＣジャック２０はプリント基板２２に実装されている。そしてプリント基板２２は実装線２３によって本体部の電気信号処理回路（不図示）に接続されている。さらにプリント基板２２にはＬＥＤ２４が実装されている。そのため、ＤＣジャック２０に不図示のＤＣケーブルを接続しビデオカメラ本体２を外部電源と接続させて、ビデオカメラ本体に外部電源から電力を供給し、この電力を用いて記録媒体へのアクセス中（記録媒体への記録データの書込処理など）には、ＬＥＤ２４が発光する構成となっている。そのためＬＥＤ２４の光によって発光部材２１が発光する。
【００４３】
以上説明したように、本実施形態のビデオカメラでは本体部に着脱可能なバッテリーパックまたはＤＣジャック等の外部からの電源端子を備えており、記録媒体へのアクセス中はバッテリーの着脱の操作部材あるいは、その近傍またはＤＣジャック等の外部からの電源端子の近傍と、記録媒体取り出し部材あるいは、その近傍の両方が発光するようにしたので、記録媒体へのアクセス中に不用意に記録媒体やバッテリーパックまたはＤＣケーブル等の外部からの電源ケーブルをビデオカメラ本体から取り外してしまい記録媒体のデータを破損することのない操作性に優れるビデオカメラを提供することができる。
【００４４】
［他の実施形態］
なお、本発明は、例えば、装置、方法、プログラムもしくは記憶媒体などとしての実施態様を取ることが可能であり、具体的には、複数の機器（例えばホストコンピュータ、インターフェース機器、リーダ、プリンタなど）から構成されるシステムに適用しても、一つの機器からなる装置（例えば、複写機、ファクシミリ装置など）に適用してもよい。
【００４５】
また、本発明の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。
【００４６】
また、コンピュータが読み出したプログラムコードを実行することにより、前述した実施形態の機能が実現されるだけでなく、そのプログラムコードの指示に基づき、コンピュータ上で稼働しているオペレーティングシステム(ＯＳ)などが実際の処理の一部または全部を行い、その処理によって前述した実施形態の機能が実現される場合も含まれることは言うまでもない。
【００４７】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。本発明を上記記憶媒体に適用する場合、その記憶媒体には、その処理を実現するプログラムが格納されることになる。
【図面の簡単な説明】
【００４８】
【図１】本発明によるビデオカメラの一例を示す後方斜視図である。
【図２Ａ】本発明によるビデオカメラの一例を示す断面図（バッテリーパック装着開始）である。
【図２Ｂ】本発明によるビデオカメラの一例を示す断面図（バッテリーパック取り出しつまみ押下）である。
【図２Ｃ】本発明によるビデオカメラの一例を示す断面図（バッテリーパック装着完了）である。
【図３】本発明によるビデオカメラのＤＣジャック部の構成の一例を説明する部分断面図である。
【符号の説明】
【００４９】
１  撮像レンズ
２  ビデオカメラ本体
３  ファインダー
４  バッテリーパック
４ａ  レール
５  回動カバー
６  ズームスイッチ
７  モードダイヤル
８  記録媒体取り出しつまみ
８ａ  発光窓
８ｂ  突起リブ
９  バッテリー取り出しつまみ
９ａ  凸部
９ｂ  発光窓
９ｃ  ガイド棒
１０  本体カバー
１０ａ  突起リブ
１０ｂ  角穴
１０ｃ  Ｌ字状リブ
１１  コイルバネ
１２  保持部材
１３  コイルバネ
１４  ガイド部材
１４ａ  テーパー面
１５  プリント基板
１６  ＬＥＤ
２０  ＤＣジャック
２１  発光部材
２２  プリント基板
２３  実装線
２４  ＬＥＤ
【図１】
2005175954.tif 000003
【図２Ａ】
2005175954.tif 000004
【図２Ｂ】
2005175954.tif 000005
【図２Ｃ】
2005175954.tif 000006
【図３】
2005175954.tif 000007